(57)【要約】      （修正有）【課題】リモートパネルを備えた洗車機において、被洗浄車両の車体の色とその濃淡に適した液剤や洗車モードがあることをユーザーに報知すると共に、報知された液剤や洗車モードを参考に、ユーザー自身が液剤や洗車モードを選択して設定可能とする洗車機を提供する。【解決手段】リモートパネル７Ａに、被洗浄車両の車体の色とその濃淡を検知するカラー検知センサ８６と、検知された車体の色とその濃淡から、適した液剤および洗車モードを選択する選択手段と、選択された液剤および洗車モードを報知するスピーカ８０と、を設ける構成の洗車機とした。【選択図】図１
2010126110.tif 000002
【特許請求の範囲】
【請求項１】
被洗浄車両の運転者が車内から操作して所望の洗車モードに設定するリモートパネルを備え、設定された洗車モードに応じて、予め装備される複数の液剤から選定される所定の液剤を用いて、被洗浄車両と洗車機本体を前後方向に相対移動させながら、被洗浄車両の洗車を行う洗車機であって、
前記リモートパネルが、被洗浄車両の車体の色とその濃淡を検知するカラー検知手段と、検知された車体の色とその濃淡から適した液剤および洗車モードを選択する選択手段と、選択された液剤および洗車モードを報知する報知手段と、を備えていることを特徴とする洗車機。
【請求項２】
前記リモートパネルが、車体の色とその濃淡に適した液剤および洗車モードを予め記憶する記憶手段と前記選択手段を有する制御装置を備えていると共に、前記制御装置に、新たな液剤および／または新たな洗車モードを新たに設定可能としたことを特徴とする請求項１に記載の洗車機。
【請求項３】
報知された液剤および洗車モードと異なる液剤または洗車モードを運転者が選択したときに、前記リモートパネルが、その旨を再確認する再確認機能を備えていることを特徴とする請求項１または２に記載の洗車機。
【請求項４】
前記リモートパネルに車両検知センサを設け、該車両検知センサが新たな車両を検知したときに、前記カラー検知手段の作動を開始することを特徴とする請求項１から３のいずれかに記載の洗車機。
【請求項５】
前記カラー検知手段は、前記リモートパネルに設けるデジタルカラー判別センサを備えていることを特徴とする請求項１から４のいずれかに記載の洗車機。
【請求項６】
前記報知手段が、前記リモートパネルに配設され、所定の音声ガイドを出力するスピーカであることを特徴とする請求項１から５のいずれかに記載の洗車機。
【請求項７】
前記スピーカが、前記選択手段が選択した液剤および洗車モードを音声出力すると共に、異なる液剤または洗車モードを運転者が設定したときには、その旨を確認する音声出力を行うことを特徴とする請求項６に記載の洗車機。
【請求項８】
前記スピーカのボリュームを調整するボリューム調整ボタンを設けたことを特徴とする請求項６または７に記載の洗車機。
【発明の詳細な説明】
【技術分野】
【０００１】
本発明は、たとえば給油所に設置され洗車に使用される洗車機に関し、特に、各種シャンプーや各種ワックスなどの各種液剤を備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図４を用いて説明する。この洗車機ＷＡは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した従来の洗車機ＷＡにおいては、一台の洗車機に一台の操作パネル７もしくはリモートパネル７Ａが配設された１：１構成とされていて、洗車の際には、車体に適した液剤を用いて洗車を行う車種に適応した洗車モードやユーザーが所望する洗車モードに設定する必要がある。そのために、操作パネル７やリモートパネル７Ａに、ユーザーもしくは洗車スタッフが所定の液剤や洗車モードを選択して設定している。
【００１２】
洗車時に使用する液剤には、車体の色が濃い（黒や紺など）車両に適した液剤や、パール・メタリック車に適した液剤がある。また、このような液剤は、単価が高く、利用者に率先して使用してもらうことで、洗車機を設置する管理者の収益の増加を図ることができる。
【００１３】
さらに、洗車後の仕上がりを良好とするために、撥水コート処理や鏡面仕上げコート処理などが施工されており、例えば、撥水性を付与するためのＤＵコート（登録商標）や、ピカピカの鏡面仕上げを行うＧプロテクト（登録商標）などが用いられている。
【００１４】
そのために、所定の洗車効果を発揮すると共に洗車機の収益性を図るためには、車に適した液剤や洗車モードを進めることが好ましく、洗車機に、車体の色を検出する色検出手段と、車に注がれる液剤の種類を制御する制御手段を設けて、車の色に応じた液剤を使用するようにした洗車機が既に提案されている（例えば、特許文献１参照）。
【特許文献１】特開平４−１２９８６４号公報
【発明の開示】
【発明が解決しようとする課題】
【００１５】
洗車したときに良好な仕上がり状態を得るためには、車体の塗装面を傷めない液剤を用いて洗車すると共に、車体の色やその濃淡を引き立たせるようなワックス剤やコート剤を用いることが肝要である。
【００１６】
しかし、リモートパネルに、ＤＵコート（登録商標：撥水性を付与するコーティング処理）やＧプロテクト（登録商標：ピカピカの鏡面に仕上げるコーティング処理）などといった名称を表示するだけでは、その内容が判りにくく、ユーザーが最適な液剤や洗車モードを選択することは困難である。
【００１７】
また、車体の色やその濃淡を検知して、検知された車体の色やその濃淡に適した液剤や洗車モードに設定することは可能であるが、どの液剤を用いて洗車するか、もしくは、どのような洗車モードを選択するかは、ユーザーの自由であって、ユーザーの意向を無視して、洗車機側で勝手に、液剤の種類や洗車モードを選択することは好ましくない。そのために、所定の洗車効果を発揮すると共に洗車機の収益性を図るためには、ユーザーにユーザーの車に適した液剤や洗車モードを推薦して、ユーザー自身が自分の車に適した液剤や洗車モードを選択してもらうことが好ましい。
【００１８】
車に適した液剤や洗車モードをユーザーに推薦するには、ユーザーがリモートパネルで洗車に使用する液剤や洗車モードを設定するときに行うことが好ましく、リモートパネルに、使用する液剤や洗車モードを設定する前に、車に適した液剤や洗車モードを自動的にユーザーに報知する構成であれば、その都度スタッフが説明する手間が省けて効率的である。
【００１９】
そのためには、リモートパネルに、車体の色やその濃淡を検知するカラー検知機能と、検知した車体の色とその濃淡から、適した液剤や洗車モードを選択して報知する報知機能と、を設けることが好ましい。また、報知された液剤や洗車モードと異なる液剤や洗車モードをユーザー自身が設定可能であることが好ましい。
【００２０】
本発明は、上記問題点に鑑み、リモートパネルを備えた洗車機において、被洗浄車両の車体の色とその濃淡に適した液剤や洗車モードがあることをユーザーに報知すると共に、報知された液剤や洗車モードを参考に、ユーザー自身が液剤や洗車モードを選択して設定可能とする洗車機を提供することを目的とする。
【課題を解決するための手段】
【００２１】
上記目的を達成するために本発明は、被洗浄車両の運転者が車内から操作して所望の洗車モードに設定するリモートパネルを備え、設定された洗車モードに応じて、予め装備される複数の液剤から選定される所定の液剤を用いて、被洗浄車両と洗車機本体を前後方向に相対移動させながら、前記被洗浄車両の洗車を行う洗車機であって、前記リモートパネルが、被洗浄車両の車体の色とその濃淡を検知するカラー検知手段と、検知された車体の色とその濃淡から適した液剤および洗車モードを選択する選択手段と、選択された液剤および洗車モードを報知する報知手段と、を備えていることを特徴としている。
【００２２】
この構成によると、ユーザー（運転者）が乗っている車の車体の色とその濃淡を自動的に検知して、良好な仕上がりを発揮するのに適した液剤や洗車モードが報知されるので、ユーザーがこれらの情報を参考にして、実際に採用する液剤や洗車モードをリモートパネルを介して設定することができる。そのために、ユーザーにとって使い勝手のよい洗車機を得ることができる。
【００２３】
また本発明は、上記構成の洗車機において、前記リモートパネルが、車体の色とその濃淡に適した液剤および洗車モードを予め記憶する記憶手段と前記選択手段を備える制御装置を備えていると共に、前記制御装置に、新たな液剤および／または新たな洗車モードを設定可能としたことを特徴としている。この構成によると、新たな液剤が開発されると、直ちにその液剤を用いた洗車モードを洗車機に設定することが可能となる。
【００２４】
また本発明は、上記構成の洗車機において、報知された液剤および洗車モードと異なる液剤または洗車モードを運転者が選択したときに、前記リモートパネルが、その旨を再確認する再確認機能を備えていることを特徴としている。この構成によると、好ましくない液剤の使用や洗車モードが選択されたときに、その旨をユーザー（運転者）に再確認させることができるので、ユーザーの勘違いや思い違いによる誤使用を防止可能となって、より好ましい洗車機となる。
【００２５】
また本発明は、上記構成の洗車機において、前記リモートパネルに車両検知センサを設け、該車両検知センサが新たな車両を検知したときに、前記カラー検知手段の作動を開始することを特徴としている。この構成によると、カラー検知手段を常時作動させておく必要がないので、消費電力を抑制し、機器の長寿命化を図ることができる。
【００２６】
また本発明は、上記構成の洗車機において、前記カラー検知手段は、前記リモートパネルに設けるデジタルカラー判別センサを備えていることを特徴としている。この構成によると、高い色差判別能力を発揮して、車体の色やその濃淡を確実に判別可能となり、車体に適した洗車を選択して実行することができる。
【００２７】
また本発明は、上記構成の洗車機において、前記報知手段が、前記リモートパネルに配設され、所定の音声ガイドを出力するスピーカであることを特徴としている。この構成によると、リモートパネルが選択して報知する、車体に適した液剤や洗車モードを、音声ガイドを介して容易に確認することができる。
【００２８】
また本発明は、上記構成の洗車機において、前記スピーカが、前記選択手段が選択した液剤および洗車モードを音声出力すると共に、異なる液剤または洗車モードを運転者が設定したときには、その旨を確認する音声出力を行うことを特徴としている。この構成によると、ユーザー（運転者）の勘違いや思い違いによって、車体の色とその濃淡に適した液剤や洗車モードとは異なる液剤や洗車モードを設定したときに、その旨を音声出力を介して再確認することで、誤設定したことに気付くことができる。そのために、ユーザーにとって使い勝手のよい洗車機となる。
【００２９】
また本発明は、上記構成の洗車機において、前記スピーカのボリュームを調整するボリューム調整ボタンを設けたことを特徴としている。この構成によると、ユーザー（運転者）に聞き取りやすいボリュームに調整することも、周囲に迷惑とならない程度のボリュームにすることもできるので、ユーザーにとっても管理者にとっても扱い易い洗車機となる。
【発明の効果】
【００３０】
本発明によれば、所望の洗車モードに設定するリモートパネルに、被洗浄車両の車体の色とその濃淡を検知するカラー検知手段と、検知された車体の色とその濃淡から適した液剤および洗車モードを選択する選択手段と、選択された液剤および洗車モードを報知する報知手段とを設ける洗車機とし、運転者の乗った車の車体の色とその濃淡を検知して、適した液剤や洗車モードを報知する構成としたので、ユーザー（運転者）がこれらの情報を参考にして、実際に採用する液剤や洗車モードをリモートパネルを介して設定することができ、ユーザーにとって使い勝手のよい洗車機を得ることができる。
【発明を実施するための最良の形態】
【００３１】
以下に本発明の実施形態を図面を参照して説明する。図１は本発明に係る洗車機が備えるリモートパネルの一例を示す正面図である。図２はリモートパネルの制御装置が備える各種機能を示す説明ブロック図である。図３はリモートパネルの設定操作の手順を示すフローチャートである。図４は洗車機一台の全体構成例を示す側面図である。
【００３２】
図１に示すリモートパネル７Ａは、洗車機ＷＡの洗車モードを設定する装置であって、図４に示すように、洗車機ＷＡへの進入経路上に設置されている。そのために、該リモートパネル７Ａの正面に被洗浄車両ＣＡを停車して、洗車機ＷＡの洗車モードを設定することができる。
【００３３】
リモートパネル７Ａは、支柱７０にパネル本体７１が上下動自在に装着された構成であって、支柱７０に昇降装置（不図示）を内蔵し、上昇ボタン８５ａ、もしくは下降ボタン８５ｂを押下して、それぞれ上昇、下降させることが可能とされている。また、パネル本体７１の正面側には、返却レバー７２、コイン投入口７３、紙幣投入口７４、カード投入口７５が設けられている。７８はつり銭の返却口もしくは領収書発行部となる払い出し部である。
【００３４】
また、洗車モードを設定する操作の各ステップに対応した表示部と操作部が設けられており、所定のお金を入金して表示するステップ１（Ｓ１）と、洗車モード設定ボタン８２（８２ａ、８２ｂ、８２ｃ・・・）が配置されて所望の洗車モードに設定するステップ２（Ｓ２）と、装備品設定ボタン８３を操作して被洗浄車両ＣＡが備える装備品を設定するステップ３（Ｓ３）と、洗車を開始するスタートボタンを操作するステップ４（Ｓ４）とに対応した盤面配置が形成されている。
【００３５】
ステップ１（Ｓ１）に対応する盤面には、投入された金額を表示する金額表示部８１が設けられている。ステップ２（Ｓ２）に対応する盤面には、各種の洗車モードに対応する設定ボタン８２ａ、８２ｂ、８２ｃ・・・が配置されている。設定ボタン８２ａは、例えば、シャンプーを行うボタンであり、設定ボタン８２ｂは、例えば、ワックス掛けを行うボタンであり、設定ボタン８２ｃは、例えば、撥水コートを行うボタンである。この他にも、第二（高級）シャンプー、第二（高級）ワックス、第二（高級）撥水コート（例えば、ＤＵコート（登録商標））や特殊なコート（例えば、Ｇプロテクト（登録商標））を行う選択ボタンを設ける構成としている。
【００３６】
ステップ３（Ｓ３）に対応する盤面には、装備品設定ボタン８３として、例えば、該当装備品なしボタン８３ａ、フロントガードありボタン８３ｂ、フェンダーポールありボタン８３ｃ、ドアミラーありボタン８３ｄ、リヤワイパーありボタン８３ｅなどが設けられている。ステップ４（Ｓ４）に対応する盤面には、スタート操作ボタン８４として、例えば、スタートボタン８４ａ、キャンセルボタン８４ｂが設けられている。
【００３７】
上記の各ステップに応じた操作を行って、所望の洗車モードに設定することができる。また、所望の洗車モードに設定した後で、被洗浄車両ＣＡを洗車機ＷＡに移動し、洗車機の左右一対のレール間の所定の位置に停車して、洗車機に設ける車体検知センサもしくはスタートボタンを操作して、洗車操作を開始することができる。
【００３８】
これらの洗車モードの設定は、運転者（ユーザー）自身でも、洗車機を所有する管理者側のスタッフによっても行うことができる。スタッフが行う場合には、各洗車モードの特徴をユーザーに説明しながら、被洗浄車両ＣＡに適した洗車モードを推奨し設定することができる。
【００３９】
リモートパネル７Ａには、報知手段として音声出力を行うスピーカ８０が設けられており、洗車モードの設定操作の内容や手順を案内する音声ガイド、もしくは、注意事項などの音声ガイドを出力可能としている。また、音声ガイドの出力を停止する停止ボタン７６と、音声ガイドの音量を調整するボリューム調整ボタン７７が設けられている。
【００４０】
７９は車両検知センサであって、リモートパネル７Ａ部に進入してくる被洗浄車両ＣＡを検知する反射型光電センサからなる。また、リモートパネル７Ａに、被洗浄車両ＣＡの車体の色とその濃淡を検知するカラー検知手段８６を設けて、車体に適した液剤や洗車モードをユーザーに報知可能な構成としている。
【００４１】
ここで、車体に適した液剤とは、車体の色を薄くしたり変色させたりしない液剤、および、表面の色合いを保持したまま、車体表面に撥水性を付与するためのＤＵコート（登録商標）や、ピカピカの鏡面仕上げを行うＧプロテクト（登録商標）などに適した液剤である。また、車体に適した洗車モードとは、これらの液剤を用いて、適当なブラシと適当なブラシ回転数が選択される洗車モードである。
【００４２】
上記したように、カラー検知手段８６により検知された車体の色とその濃淡から適した液剤および洗車モードを選択する選択手段と、選択された液剤および洗車モードを報知する報知手段と、を備える構成としているので、ユーザー（運転者）が乗っている車の車体の色とその濃淡を自動的に検知して、良好な仕上がりを発揮するのに適した液剤や洗車モードを報知することができ、ユーザー自身がこれらの情報を参考にして、実際に採用する液剤や洗車モードをリモートパネルを介して設定することができる。
【００４３】
また、前記リモートパネル７Ａに、車体の色とその濃淡に適した液剤や洗車モードを予め記憶させておく記憶手段と前述した選択手段を備える制御装置９０を設けている。さらにこの制御装置９０に、新たな液剤および／または新たな洗車モードを設定可能としている。この構成であれば、新たな液剤が開発されると、直ちにその液剤を用いた洗車モードを洗車機に設定することが可能となり、新製品に敏感なユーザーにとって好ましい洗車機となる。
【００４４】
例えば、図２に示すように、リモートパネル７Ａが備える制御装置９０が、操作部を介して設定される各種液剤のタイプや洗車モードなどを入力し、設定された各種液剤のタイプや洗車モードなどを報知手段に出力し、洗車機を駆動する信号を出力する入出力部９１と制御部９２と選択手段９３と記憶手段９４を有する構成としている。
【００４５】
入出力部９１に、車両検知センサ７９およびカラー検知手段８６の信号を入力する構成としている。また、車両検知センサ７９が車両を検知してからカラー検知手段８６の作動を開始する構成としている。
【００４６】
上記の構成であれば、洗車を希望する車両がリモートパネル７Ａの前に停車したことを車両検知センサ７９が検知すると、カラー検知手段８６の作動が開始され、ユーザーが乗っている車の車体の色とその濃淡を自動的に検知して、その検知情報を入出力部９１に送信することができる。すると、制御部９２において、予め記憶手段９４に記憶された液剤情報および洗車情報から所定の液剤や洗車モードが選択手段９３を介して選択され、選択された所定の液剤や洗車モードを、制御部９２から入出力９１を経由して、報知手段を介して出力することができる。
【００４７】
このようにして、良好な仕上がりを発揮するのに適した液剤や洗車モードを報知するので、ユーザーがこれらの情報を参考にして、実際に採用する液剤や洗車モードをリモートパネル７Ａを介して設定することができる。そのために、ユーザーにとって使い勝手のよい洗車機となる。
【００４８】
上記したように、リモートパネル７Ａは、車体の色とその濃淡に適した液剤および洗車モードを運転者（ユーザー）に報知する。しかし、どの液剤を用いるか、どの洗車モードを選択するかは、ユーザー自身が決定し設定する構成としている。そのために、リモートパネル７Ａにより報知された液剤および洗車モードと異なる液剤または洗車モードをユーザーが選択し設定したときには、その旨を再確認する構成としている。
【００４９】
再確認するためには、設定された液剤や洗車モードが、制御装置９０が選択した液剤や洗車モードとは異なることを報知して、それが問題ないことを確認する最終確認操作をさせればよい。
【００５０】
そのために、本実施形態では、最終確認操作の前に、ユーザー（運転者）により設定された液剤や洗車モードが、制御装置９０が選択した液剤や洗車モードとは異なることを、報知手段（スピーカ８０）を通じて音声出力する構成としている。この構成であれば、ユーザーの勘違いによる好ましくない液剤の使用や洗車モードの選択を、洗車を開始する前に再確認させて誤設定に気付かせることができるので、より好ましい洗車機となる。
【００５１】
カラー検知手段８６は、常時作動させておく必要はないので、前述したように、車両検知センサ７９が新たな車両を検知したときに、作動を開始するようにしている。このように、カラー検知手段８６を常時作動させていないので、消費電力を抑制し、カラー検知手段８６の長寿命化を図ることができる。
【００５２】
また、前記カラー検知手段８６として本実施形態ではデジタルカラー判別センサを用いている。これは、高い色差判別能力を発揮して、車体の色やその濃淡を確実に判別可能とするためであって、例えば、赤、緑、青、三原色のＲＧＢ光源を用いたデジタルカラー判別センサを用いることができる。
【００５３】
また、報知手段として、スピーカ８０を備え、該スピーカ８０のボリュームを調整するボリューム調整ボタン７７を設けている。そのために、適度なボリュームで音声出力される車体の色とその濃淡に適した液剤および洗車モードを確実に確認することができ、さらに推薦される液剤や洗車モードなどを確認しながら、ユーザー自身が選択した別の液剤や洗車モードを実行可能となって、ユーザーにとって使い勝手のよい洗車機となる。
【００５４】
次に図３に示すフローチャートを用いて、リモートパネルの設定操作の手順についてさらに説明する。
【００５５】
先ず、被洗浄車両がリモートパネル部に進入して停車する。すると車両検知センサが車体を検知してカラー検知センサが起動される。カラー検知センサが検知した車体の色とその濃淡は制御装置側に通信され、検知された車体の色とその濃淡に適した液剤および洗車モードが、予め記憶された液剤情報、洗車モード情報の中から選択される。それから、選択された適当な液剤および洗車モードが、報知手段を介して報知される。
【００５６】
ユーザー（運転者）は、報知される液剤や洗車モードを参考にして、自分の所望する液剤や洗車モードを選択して設定する。ユーザーが設定した液剤や洗車モードが報知された液剤や洗車モードと異なる場合には、その旨を報知して、ユーザーに再確認させている。また、そのために、リモートパネルに所定の液剤や洗車モードを設定した後、スピーカを介して音声出力しながらこれでよいかどうかの最終確認を行う構成としている。
【００５７】
最終確認の一例として、設定後のスタートボタンを押す際に、「設定された液剤は推薦する液剤ではありませんが、これでよろしければスタートボタンを押して下さい」と音声出力することができる。
【００５８】
また、「設定された洗車モードより、さらに光沢を増す洗車モードがあります」とアナウンスして、さらに良好な仕上げが可能であることをユーザーに知らせることもできる。
【００５９】
上記したように本発明に係る洗車機によれば、複数の洗車モードの中から所定のステップに沿って所望の洗車モードに設定するリモートパネルに、被洗浄車両の車体の色とその濃淡を検知するカラー検知手段と、検知された車体の色とその濃淡から適した液剤および洗車モードを選択する選択手段と、選択された液剤および洗車モードを報知する報知手段と、を設ける構成としているので、ユーザーが乗っている車の車体の色とその濃淡を自動的に検知して、良好な仕上がりを発揮するのに適した液剤や洗車モードをユーザーに報知して、所望の洗車が可能な液剤と洗車モードの選択を推奨することができる。そのために、ユーザーの勘違いや思い違いによって、車体に適していない液剤や洗車モードを選択するのを抑制することが可能となって、ユーザーにとって使い勝手のよい洗車機となる。
【００６０】
また、報知された液剤および洗車モードと異なる液剤や洗車モードを設定することも可能とし、その際には、設定した液剤や洗車モードが、車体の色やその濃淡に適していない旨を再確認する構成としているので、ユーザーの勘違いや誤設定による好ましくない液剤の使用や洗車モードの選択を再考させることができる。そのために、本発明に係る洗車機は、洗車機を設置する管理者や、使用するユーザー（運転者）にとって、より好ましい使い勝手のよい洗車機となる。
【００６１】
そのために、本発明に係る洗車機は、複数の液剤や複数の洗車モードを備える多機能洗車機として有効であり、多様なユーザーの要望に応じることが必要な、ユーザーの要望する液剤の種類や洗車モードが多い洗車場の洗車機として好適に適用される。
【図面の簡単な説明】
【００６２】
【図１】本発明に係る洗車機が備えるリモートパネルの一例を示す正面図である。
【図２】リモートパネルの制御装置が備える各種機能を示す説明ブロック図である。
【図３】リモートパネルの設定操作の手順を示すフローチャートである。
【図４】洗車機一台の全体構成例を示す側面図である。
【符号の説明】
【００６３】
１    洗車機本体
２    レール
３    車輪
７    操作パネル
７Ａ    リモートパネル
７７    ボリューム調整ボタン
７９    車両検知センサ
８０    スピーカ（報知手段）
８６    カラー検知センサ
９０    制御装置
９３    選択手段
９４    記憶手段
ＣＡ    被洗浄車両
ＷＡ    洗車機
【図１】
2010126110.tif 000003
【図２】
2010126110.tif 000004
【図３】
2010126110.tif 000005
【図４】
2010126110.tif 000006